(57)【要約】  【課題】  ビデオカメラ等の映像記録再生装置では、動画撮影中に静止画を撮影した場合に動画の記録が一時的に途切れることがあった。また、動画撮影中の映像を見ながら静止画を記録することは一般のユーザにとっては容易ではない高度な技術を要求される。  【解決手段】  撮影中の映像信号（動画）を動画用の記録媒体２３に記録すると共にビューファインダ１９に表示し、適宜の時間だけ遅延して再生するいわゆる追いかけ再生を自動的に行ない、この追いかけ再生の映像をモニタ１８に表示し、モニタ１８に表示するために記録媒体２３から読み出されている映像信号を静止画として別途静止画メモリ２１Ｍに記録する。【選択図】        図１
2006140936.tif 000002
【特許請求の範囲】
【請求項１】
映像信号を記録媒体に記録し、該記録媒体に記録されている映像信号を表示装置に表示するために再生すると共に前記記録媒体に映像信号を静止画として記録する映像記録再生装置において、
前記記録媒体に記録中の映像信号を表示装置に表示するために第１の映像信号として出力し、
前記記録媒体に記録中の映像信号を前記記録媒体から所定時間遅延して再生した映像信号を表示装置に表示するために第２の映像信号として出力し、
該第２の映像信号を前記記録媒体に静止画として記録すること
を特徴とする映像記録再生方法。
【請求項２】
映像信号を記録媒体に記録し、該記録媒体に記録されている映像信号を表示装置に表示するために再生すると共に映像信号を静止画として前記記録媒体に記録する映像記録再生装置において、
映像信号を取得する映像信号取得手段と、
該映像信号取得手段が取得した映像信号を表示装置に表示するために出力する第１の表示制御手段と、
前記映像信号取得手段が取得した映像信号を記録するために前記記録媒体に書き込む映像信号記録手段と、
前記記録媒体に記録されている映像信号を再生するために読み出す映像信号再生手段と、
該映像信号再生手段が前記記録媒体から読み出した映像信号を表示装置に表示するために出力する第２の表示制御手段と、
映像信号を静止画として記録するために前記記録媒体に書き込む静止画記録手段と
を備え、
前記映像信号再生手段は、前記映像信号記録手段が前記記録媒体に書き込んだ映像信号を、前記映像信号記録手段が前記記録媒体に書き込んだ時点から所定時間遅延して前記記録媒体から読み出して前記第２の表示制御手段に与え、
前記静止画記録手段は、前記映像信号再生手段が前記記録媒体から読み出した映像信号を静止画として前記記録媒体に書き込むようにしてあること
を特徴とする映像記録再生装置。
【請求項３】
前記記録媒体として、前記映像信号記録手段が映像信号を書き込むための動画用記録媒体と、前記静止画記録手段が静止画を書き込むための静止画用記録媒体とを備えたことを特徴とする請求項２に記載の映像記録再生装置。
【請求項４】
前記表示装置として、前記第１の表示制御手段が映像信号を表示する第１の表示装置と、前記第２の表示制御手段が映像信号を表示する第２の表示装置とを備えたことを特徴とする請求項２又は３に記載の映像記録再生装置。
【請求項５】
前記第１の表示制御手段が表示する映像信号と前記第２の表示制御手段が表示する映像信号とが１画面に並列して表示されるように合成する映像信号合成手段を備えたことを特徴とする請求項２又は３に記載の映像記録再生装置。
【請求項６】
前記映像信号取得手段は、光学像を取得する光学系と、該光学系が取得した光学像から映像信号を生成する映像信号生成手段とを備えたことを特徴とする請求項２乃至５のいずれか１つに記載の映像記録再生装置。
【請求項７】
前記映像信号取得手段は、ＴＶ放送を受信するＴＶチューナであることを特徴とする請求項２乃至５のいずれか１つに記載の映像記録再生装置。
【請求項８】
前記映像信号取得手段は、映像信号を入力する入力端子であることを特徴とする請求項２乃至５のいずれか１つに記載の映像記録再生装置。
【発明の詳細な説明】
【技術分野】
【０００１】
本発明は、記録媒体への映像信号の記録と再生とが見かけ上同時並行的に可能なビデオカメラ、ビデオデッキ等の映像記録再生装置及びそのような装置のための映像記録再生方法に関し、より具体的にはいわゆる追いかけ再生が可能な映像記録再生装置及びそのような装置のための映像記録再生方法に関する。
【背景技術】
【０００２】
近年、ハードディスク，ＤＶＤ等のランダムアクセス可能な記録媒体を利用した映像記録再生装置が普及している。この種の装置では、記録媒体として使用されるハードディスク，ＤＶＤ等に対するデータの書き込み及び読み出し速度が映像信号の記録再生速度に比して十分に速いので、たとえばＴＶ放送の映像信号を記録媒体に記録すると同時に、その記録中の映像信号を過去に遡ったある時点から再生するいわゆる追いかけ再生と称される機能を実現することが可能になっている（特許文献１参照）。
【０００３】
一方、上述のような映像記録再生装置では記録中又は再生中の映像信号を静止画として別途記録することが可能に構成されたものも存在する。特に、近年のデジタルスチルカメラ技術の発達に伴なって、通常は動画を記録する目的で使用されるビデオカメラにおいても十分に高画質な静止画を記録することが可能な製品が実用化されている。しかし、従来のビデオカメラで動画撮影中に静止画を撮影すると、動画の記録が静止画を撮影した瞬間に一時的に途切れる等の悪影響を受ける場合が多い。このような問題点を解消するために特許文献２には、動画を撮影（記録）するための構成と静止画を撮影（記録）するための構成とを別系統として明確に分離することにより、動画と静止画とを同時に撮影することを可能とした構成の発明が開示されている。
【特許文献１】特開２００２−１０１３９１号公報
【特許文献２】特開２００４−２４８１５６号公報
【発明の開示】
【発明が解決しようとする課題】
【０００４】
しかし、上述の特許文献２に開示されている発明では、モニタに表示される一つの映像を動画として撮影（記録）するためと静止画として撮影（記録）するためとの双方の目的に使用しているので、ユーザは動画の撮影中に静止画を撮影するためのいわゆるシャッターチャンスを逃さないように常時映像を監視している必要がある。このような、静止画としての最適な瞬間を動画撮影中に判断して静止画として記録するための操作を行なうことは高度な技術と判断力とを必要とすることから一般のユーザにはかなり難しく、多くの場合にはシャッターチャンスを逃すことになるのが実情である。このため、動画として一旦撮影しておいた映像信号を後日再生しつつ、その内の所望の瞬間を静止画として取り出す操作を行なうことも可能であるが、そのためには撮影した動画を比較的長時間再生する必要があり、時間的な無駄が多い。
【０００５】
本発明は以上のような事情に鑑みてなされたものであり、映像信号（動画）の記録中に、その映像信号の記録に影響を与えずに静止画を記録することが、しかもユーザが静止画として記録したいと思う瞬間を確実に、即ちシャッターチャンスを逃すこと無しに静止画として容易に記録することを可能にした映像記録再生装置及びそのための映像記録再生方法の提供を主たる目的とする。
【課題を解決するための手段】
【０００６】
本発明は端的には、映像信号（動画）を記録媒体に記録すると共に、適宜の時間だけ遅延して再生し、換言すれば適宜の時間だけ遅れて追いかけ再生を自動的に行ない、この追いかけ再生のために記録媒体から読み出されている映像信号を静止画として別途記録するように構成したことを特徴とする。
【０００７】
本発明に係る映像記録再生方法は、映像信号を記録媒体に記録し、該記録媒体に記録されている映像信号を表示装置に表示するために再生すると共に前記記録媒体に映像信号を静止画として記録する映像記録再生装置において、前記記録媒体に記録中の映像信号を表示装置に表示するために第１の映像信号として出力し、前記記録媒体に記録中の映像信号を前記記録媒体から所定時間遅延して再生した映像信号を表示装置に表示するために第２の映像信号として出力し、該第２の映像信号を前記記録媒体に静止画として記録することを特徴とする。
【０００８】
このような本発明の映像記録再生方法では、記録媒体に記録中の映像信号を表示装置に表示するために出力される第１の映像信号と、記録媒体に記録中の映像信号を記録媒体から所定時間遅延して再生した第２の映像信号とが出力され、その内の第２の映像信号が静止画として記録媒体に記録される。
【０００９】
また本発明に係る映像記録再生装置は、映像信号を記録媒体に記録し、該記録媒体に記録されている映像信号を表示装置に表示するために再生すると共に映像信号を静止画として前記記録媒体に記録する映像記録再生装置において、映像信号を取得する映像信号取得手段と、該映像信号取得手段が取得した映像信号を表示装置に表示するために出力する第１の表示制御手段と、前記映像信号取得手段が取得した映像信号を記録するために前記記録媒体に書き込む映像信号記録手段と、前記記録媒体に記録されている映像信号を再生するために読み出す映像信号再生手段と、該映像信号再生手段が前記記録媒体から読み出した映像信号を表示装置に表示するために出力する第２の表示制御手段と、映像信号を静止画として記録するために前記記録媒体に書き込む静止画記録手段とを備え、前記映像信号再生手段は、前記映像信号記録手段が前記記録媒体に書き込んだ映像信号を、前記映像信号記録手段が前記記録媒体に書き込んだ時点から所定時間遅延して前記記録媒体から読み出して前記第２の表示制御手段に与え、前記静止画記録手段は、前記映像信号再生手段が前記記録媒体から読み出した映像信号を静止画として前記記録媒体に書き込むようにしてあることを特徴とする。
【００１０】
このような本発明に係る映像記録再生装置では、映像信号取得手段が取得した映像信号を表示装置に表示するために第１の表示制御手段が出力すると共に映像信号記録手段が記録媒体に書き込むことによって記録する。そして、映像信号記録手段が記録媒体に書き込んだ映像信号を、映像信号記録手段が記録媒体に書き込んだ時点から所定時間遅延して表示装置に表示するために映像信号再生手段が記録媒体から読み出して第２の表示制御手段に与え、この映像信号再生手段が記録媒体から読み出した映像信号を静止画記録手段が静止画として記録媒体に書き込む。
【００１１】
また本発明に係る映像記録再生装置は上記の映像記録再生装置の発明において、前記記録媒体として、前記映像信号記録手段が映像信号を書き込むための動画用記録媒体と、前記静止画記録手段が静止画を書き込むための静止画用記録媒体とを備えたことを特徴とする。
【００１２】
このような本発明に係る映像記録再生装置では上記の映像記録再生装置の発明において、動画用記録媒体に映像信号記録手段が映像信号を書き込み、静止画用記録媒体に静止画記録手段が静止画を書き込む。
【００１３】
また本発明に係る映像記録再生装置は上記の映像記録再生装置の発明において、前記表示装置として、前記第１の表示制御手段が映像信号を表示する第１の表示装置と、前記第２の表示制御手段が映像信号を表示する第２の表示装置とを備えたことを特徴とする。
【００１４】
このような本発明に係る映像記録再生装置では上記の映像記録再生装置の発明において、第１の表示制御手段が第１の表示装置に映像信号を表示し、第２の表示制御手段が第２の表示装置に映像信号を表示する。
【００１５】
更に本発明に係る映像記録再生装置は上記の映像記録再生装置の発明において、前記第１の表示制御手段が表示する映像信号と前記第２の表示制御手段が表示する映像信号とが１画面に並列して表示されるように合成する映像信号合成手段を備えたことを特徴とする。
【００１６】
このような本発明に係る映像記録再生装置では上記の映像記録再生装置の発明において、第１の表示制御手段が表示する映像信号と第２の表示制御手段が表示する映像信号とが合成されて一つの表示装置の画面に並列して表示される。
【００１７】
また更に本発明に係る映像記録再生装置は上記のいずれか１つの映像記録再生装置の発明において、前記映像信号取得手段は、光学像を取得する光学系と、該光学系が取得した光学像から映像信号を生成する映像信号生成手段とを備えたことを特徴とする。
【００１８】
このような本発明に係る映像記録再生装置では上記のいずれか１つの映像記録再生装置の発明において、光学系が取得した光学像から映像信号が生成され、映像信号入力手段から入力される。
【００１９】
更にまた本発明に係る映像記録再生装置は上記のいずれか１つの映像記録再生装置の発明において、前記映像信号取得手段は、ＴＶ放送を受信するＴＶチューナであることを特徴とする。
【００２０】
このような本発明に係る映像記録再生装置では上記のいずれか１つの映像記録再生装置の発明において、ＴＶ放送を受信するＴＶチューナから映像信号が取得される。
【００２１】
また更に本発明に係る映像記録再生装置は上記のいずれか１つの映像記録再生装置の発明において、前記映像信号取得手段は、映像信号を入力する入力端子であることを特徴とする。
【００２２】
このような本発明に係る映像記録再生装置では上記のいずれか１つの映像記録再生装置の発明において、映像信号を入力する入力端子から映像信号が取得される。
【発明の効果】
【００２３】
以上のような本発明の映像記録再生方法及び装置によれば、第１映像信号よりも所定時間遅延して再生される第２の映像信号から静止画を記録することが可能になるので、動画用記録媒体に記録中の第１映像信号に影響を与えることなしに静止画を記録することが可能になる。
【００２４】
また本発明に係る映像記録再生装置によれば上記の映像記録再生装置の発明において、動画は動画用記録媒体に、静止画は静止画用記録媒体にそれぞれ記録されるので、静止画用記録媒体として脱着可能な可搬型の記録媒体を使用することが可能になる。
【００２５】
更に本発明に係る映像記録再生装置によれば上記の映像記録再生装置の発明において、第１の表示装置に第１の映像信号が表示され、第２の表示装置に第２の映像信号が表示されるので、第１の表示装置に表示される映像で静止画として記録したい瞬間を確認した後に、第２の表示装置に表示される映像から静止画を記録することが可能になり、ユーザは静止画の記録に際してシャッターチャンスを逃す虞が少なくなる。
【００２６】
また更に本発明に係る映像記録再生装置によれば上記の映像記録再生装置の発明において、一つの表示装置の画面に第１の表示制御手段が表示する映像信号と第２の表示制御手段が表示する映像信号とが合成されて並列して表示されるので、一つの表示装置で、記録中の映像を確認した後に、再生映像から静止画を記録することが可能になる。
【００２７】
更にまた本発明に係る映像記録再生装置によれば上記のいずれか１つの映像記録再生装置の発明において、光学系が取得した光学像から映像信号を生成して映像信号を取得することが可能になるので、ビデオカメラとして実現させることが可能になる。
【００２８】
また更に本発明に係る映像記録再生装置によれば上記のいずれか１つの映像記録再生装置の発明において、ＴＶチューナから映像信号を取得することが可能になるので、ビデオデッキとして実現させることが可能になる。
【００２９】
なお更に本発明に係る映像記録再生装置によれば上記のいずれか１つの映像記録再生装置の発明において、入力端子から映像信号を取得することが可能になるので、ビデオカメラ又はビデオデッキとして実現された本発明に係る映像記録再生装置に外部から映像信号を入力して上述同様の効果を発揮させることができる。
【発明を実施するための最良の形態】
【００３０】
以下、本発明をその実施の形態を示す図面を参照して具体的に説明する。図１は本発明に係る映像記録再生装置の一実施の形態としてのビデオカメラの外観を示す模式的斜視図であり、図１（ａ）は左後方から、図１（ｂ）は左前方からそれぞれ見た状態を示している。なお、本発明に係る映像信号記録再生装置はビデオカメラとしてのみならず、後述するようにビデオデッキとして実現することも可能である。
【００３１】
本発明に係る映像記録再生装置としてのビデオカメラ１は、外観的には一般的なビデオカメラと同様であり、上部前端部に光学系１１の対物レンズ１１Ｌが露出しており、上部後端部にはビューファインダ１９が備えられている。また左側部には液晶表示パネルを使用したモニタ１８がその前端部において本体に対して枢支されることにより、開閉可能に取り付けられている。なお、１８Ｓはモニタ１８の画面を、１９Ｓはビューファインダ１９の画面をそれぞれ示している。また、２０は音声を再生するためのスピーカである。
【００３２】
更に、モニタ１８を開いた場合に露出するビデオカメラ１の左側面には、ユーザがビデオカメラ１を操作したり、種々の設定（後述する動画モード、静止画モード等の設定を含む）を行なうために必要な種々のスイッチ，ボタン等が配設された操作部２５が備えられている。また、ビデオカメラ１の背面には動画を撮影するための動画撮影ボタン２５Ｍが、同じく上部には静止画を撮影するための静止画撮影ボタン２５Ｓがそれぞれ備えられている。なお、操作部２５、動画撮影用ボタン２５Ｍ、静止画撮影用ボタン２５Ｓ等の配置位置は一例であって、ビデオカメラ１の他の部分にはいちされていてもよい。
【００３３】
動画撮影ボタン２５Ｍは動画モードが設定されている場合にオン（具体的には、ユーザにより押圧操作）されることにより、映像信号を動画として撮影して記録するためのボタンであり、オン状態でロックすることも可能である。また静止画撮影ボタン２５Ｓは静止画モードが設定されている場合にオン（具体的には、ユーザにより押圧操作）されることにより、その時点の映像信号を静止画として撮影して記録するためのボタンであり、オン状態でロックすることはできないが、オン操作し続けることにより所定時間間隔でのいわゆる連写が可能である。
【００３４】
また静止画撮影ボタン２５Ｍは、動画モードが設定されていて動画撮影ボタン２５Ｍがオンされている場合、即ち映像信号が動画として記録されている状態においてオン操作されると、映像信号を静止画として記録することができること自体は従来のこの種の装置と同様である。但し、従来のこの種の装置では、動画撮影中、即ち映像信号を動画として記録中に静止画を記録する場合には動画として記録中の映像信号を静止画として記録していたが、本発明では、詳細は後述するが、一旦動画として記録した映像信号を所定時間遅延させて再生した映像信号を静止画として記録するように構成されている。
【００３５】
なお、ビデオカメラ１の背面の左下部寄りには静止画用の記録媒体である静止画メモリ２１Ｍが装着されている。具体的には、静止画メモリ２１Ｍは、ビデオカメラ１に内蔵された静止画記録部２１Ｒ（図２参照）としてのリーダ／ライタに脱着可能な不揮発性の記録媒体、たとえばスティック状又はカード状の半導体メモリ、超小型のハードディスクドライブ等がビデオカメラ１の背面に設けられているリーダ／ライタのスロットに挿入された状態で装着されている。なお、いうまでもないが、静止画メモリ２１Ｍは図示しないイジェクトボタンをユーザが押圧操作することにより、ビデオカメラ１から取り外すことが可能である。但し、静止画メモリ２１Ｍを備えることなしに、後述するハードディスクドライブ等のランダムアクセス可能な動画用の記録媒体２３（図２参照）と兼用する構成であってもよい。
【００３６】
図２は図１に示した本発明に係る映像記録再生装置としてのビデオカメラ１の内部構成例を示すブロック図である。なお、図２にその内部構成が示されている本発明に係る映像記録再生装置はいわゆるデジタルビデオカメラ１として構成されているが、映像信号を取得した後の処理はビデオデッキと基本的に同様であるので、本発明に係る映像記録再生装置はビデオカメラとしてのみならずビデオデッキとしても構成可能である。また、この図２に示すブロック図では、映像／音声信号を実線で、制御信号を破線で示してある。
【００３７】
ビデオカメラ１の内部構成は、大きくは撮影系と、記録／再生系と、制御系とに分かれている。撮影系は、光学系１１，カメラ信号処理部１２，ＮＴＳＣ（ＰＡＬ）信号処理部１３，モニタ１８，ビューファインダ１９，スピーカ２０等により構成されている。
【００３８】
光学系１１は映像を撮影するために対物レンズ１１Ｌから被写体の光学像を入射させてたとえばＣＣＤ等の撮像デバイス１１Ｄでアナログの映像信号を取得し、カメラ信号処理部１２へ出力する映像信号取得手段である。カメラ信号処理部１２は、光学系１１から出力されるアナログの映像信号をデジタル映像信号に変換処理すると共に図示しないマイクロフォンから入力したアナログの音声信号もデジタル音声信号に変換してデジタルの映像／音声信号として出力する。
【００３９】
ＮＴＳＣ（ＰＡＬ）信号処理部１３は内部回路が２系統備えられている。第１の系統はカメラ信号処理部１２から出力されるデジタルの映像信号をＮＴＳＣ方式（又はＰＡＬ方式）のアナログのコンポジット信号に変換すると共に、デジタルの音声をアナログの音声信号に変換してビューファインダ１９へ出力する第１の表示制御手段として機能する。なお、ＮＴＳＣ（ＰＡＬ）信号処理部１３の他の系統、即ち第２の系統は後述するように、記録媒体２３から読み出された再生映像をＮＴＳＣ方式（又はＰＡＬ方式）のアナログのコンポジット信号に変換すると共に、デジタルの音声信号をアナログの音声信号に変換してモニタ１８へ出力する第１の表示制御手段として機能する。
【００４０】
第１の表示装置としてのビューファインダ１９及び第２の表示装置としてのモニタ１８はＮＴＳＣ（ＰＡＬ）信号処理部１３が変換して出力したＮＴＳＣ方式（又はＰＡＬ方式）のアナログのコンポジット信号を表示し、スピーカ２０はＮＴＳＣ（ＰＡＬ）信号処理部１３が変換して出力したアナログの音声信号を出力する。なお、後述する動画モード（映像信号を動画として撮影するモード）及び静止画モード（映像信号を静止画として撮影するモード）等のような、映像信号の記録時にはスピーカ２０からの音声の再生は行なわれない。
【００４１】
記録／再生系は、映像／音声符号化部１４，映像／音声復号処理部１５，記録バッファ１６，再生バッファ１７，光ピックアップ２２，及びハードディスクドライブで構成された動画用の記録媒体２３等により構成されている。なお、記録媒体２３はハードディスクドライブに限らず、ランダムアクセス可能な記録媒体であればよく、たとえばＤＶＤドライブとＤＶＤとの組み合わせ等でもよい。特に、ＤＶＤドライブとＤＶＤとを組み合わせて動画用の記録媒体２３として使用する場合には、静止画用の記録媒体である静止画メモリ２１Ｍと兼用しても、記録媒体としてのＤＶＤそのものをビデオカメラ１から取り出すことが可能である。
【００４２】
映像／音声符号化部１４は、上述したカメラ信号処理部１２から出力されるデジタル映像／音声信号の内のデジタル映像信号を記録媒体２３に記録するためのたとえばＭＰＥＧ２等の符号化方式により制御部２４からの制御信号に従って符号化処理し、デジタル音声信号を記録媒体２３に記録するためのたとえばＰＣＭ等の符号化方式により制御部２４からの制御信号に従って符号化処理し、記録バッファ１６へ出力する。記録バッファ１６は、符号化映像／音声符号化部１４から出力される符号化映像／音声信号を一旦バッファリングした後に光ピックアップ２２へ出力する。
【００４３】
光ピックアップ２２は、記録バッファ１６にバッファリングされている符号化映像／音声信号を制御部２４からの制御信号に従って記録媒体２３に書き込んで記録し、また逆に記録媒体２３に記録されている符号化映像／音声信号を制御部２４からの制御信号に従って読み出して再生し、映像／音声復号処理部１５へ出力する。
【００４４】
再生バッファ１７は、光ピックアップ２２が記録媒体２３から読み出した符号化映像／音声信号をバッファリングした後に映像／音声復号処理部１５へ出力する。映像／音声復号処理部１５は、再生バッファ１７にバッファリングされている符号化映像／音声信号を制御部２４からの制御信号に従ってデジタル映像／音声信号に復号処理し、ＮＴＳＣ（ＰＡＬ）信号処理部１３へ出力する。なお、ＮＴＳＣ（ＰＡＬ）信号処理部１３は前述したように内部回路が２系統備えられており、その内の第２の系統が映像／音声復号処理部１５から出力されたデジタルの映像／音声信号を処理する。
【００４５】
なお、映像／音声復号処理部１５により復号されたデジタル映像／音声信号は前述したＮＴＳＣ（ＰＡＬ）信号処理部１３に与えられるので、記録媒体２３から読み出された符号化映像／音声信号も最終的にはモニタ１８，ビューファインダ１９に表示され、スピーカ２０から再生出力されることが可能である。
【００４６】
更にビデオカメラ１には静止画メモリ２１Ｍに静止画を記録するための静止画記録部２１Ｒが備えられている。なお、静止画メモリ２１Ｍと静止画記録部２１Ｒとは一体構成として装置内に内蔵されていてもよいが、前述したように、静止画メモリ２１Ｍはリーダ／ライタ等の静止画記録部２１Ｒに脱着可能な可搬型のスティック状、カード状の記録媒体であることが望ましい。静止画記録部２１ＲはＮＴＳＣ（ＰＡＬ）信号処理部１３と接続されており、制御部２４からの制御信号に従って、ＮＴＳＣ（ＰＡＬ）信号処理部１３が変換した１フレーム分のＮＴＳＣ方式（又はＰＡＬ方式）のアナログのコンポジット信号を静止画メモリ２１Ｍに静止画データとして記録する。
【００４７】
従って、静止画メモリ２１Ｍは、制御部２４からの制御信号が与えられた時点でモニタ１８又はビューファインダ１９に表示されている画像と同一の画像を静止画として記録することができる。なおこの際、静止画記録部２１ＲはＮＴＳＣ（ＰＡＬ）信号処理部１３から与えられる１フレーム分のＮＴＳＣ方式（又はＰＡＬ方式）のアナログのコンポジット信号をたとえばＪＰＥＧ方式等の圧縮符号化方式で符号化して静止画メモリ２１Ｍに記録する。
【００４８】
制御部２４はＲＯＭ，ＲＡＭ等を内蔵したマイクロプロセッサであり、ＲＯＭに予め記録されている制御プログラムに従って上述したビデオカメラ１の各構成要素を制御し、その間に一時的に発生して記憶する必要がある種々のデータをＲＡＭに一時記憶する。また、操作部２５はユーザがビデオカメラ１を操作するために必要な種々のスイッチ，ボタン等を備えている。この操作部２５をユーザが操作することに対応して、ＲＯＭに記憶されている制御プログラムに従って制御部２４がビデオカメラ１を制御する。
【００４９】
次に、上述のような構成の本発明に係る映像記録再生装置としてのビデオカメラ１の動作について、制御部２４による処理手順を示す図３のフローチャートを参照して説明する。
【００５０】
ビデオカメラ１の電源が投入されている場合、制御部２４はカメラ信号処理部１２、ＮＴＳＣ（ＰＡＬ）信号処理部１３及びビューファインダ１９を制御することにより、光学系１１が取得したアナログの映像信号及び図示しないマイクロフォンから入力したアナログの音声信号を光学像をカメラ信号処理部１２で共にデジタルデータに変換させ、ＮＴＳＣ（ＰＡＬ）信号処理部１３でＮＴＳＣ方式（又はＰＡＬ方式）のアナログのコンポジット信号に変換させてビューファインダ１９に表示させる（ステップＳ１１）。なお、この場合にはマイクロフォンから入力した音声信号がスピーカ２０から再生されることはない。
【００５１】
ビデオカメラ１には撮影のためのモードとしては動画モードと静止画モードとが用意されており、操作部２５をユーザが操作することにより、いずれかのモードが設定される。静止画モードが設定されている場合（ステップＳ１２でＮＯ）、以下のような従来公知の静止画モードの処理が行なわれる（ステップＳ１３）。即ち、操作部２５の静止画撮影ボタン２５Ｓが操作されると、制御部２４から静止画メモリ２１Ｍへ制御信号が与えられることにより、その時点でＮＴＳＣ（ＰＡＬ）信号処理部１３から出力されてビューファインダ１９に表示されている映像の１フレーム分の信号が静止画メモリ２１Ｍへ出力されて記録される。
【００５２】
動画モードが設定されている場合（ステップＳ１２でＹＥＳ）、制御部２４は操作部２５の動画撮影ボタン２５Ｍがオンされるまで待機する（ステップＳ１４でＮＯ）。動画撮影ボタン２５Ｍがオンされると（ステップＳ１４でＹＥＳ）、制御部２４は映像／音声符号化部１４、光ピックアップ２２を制御することにより、カメラ信号処理部１２から出力されているデジタルの映像信号及び音声信号を映像／音声符号化部１４に符号化させ、この符号化された映像／音声信号の記録媒体２３への書き込み（記録）処理を光ピックアップ２２に開始させる（ステップＳ１５）。
【００５３】
この後、所定時間が経過しない内に動画撮影ボタン２５Ｍがオフされると（ステップＳ１７でＮＯ、Ｓ１６でＹＥＳ）、映像信号の記録媒体２３への記録が停止される（ステップＳ２２）。このステップＳ２２以降の処理については後述する。
【００５４】
動画撮影ボタン２５Ｍがオフされないまま（オンされたまま）所定時間が経過すると（ステップＳ１６でＮＯ、Ｓ１７でＹＥＳ）、制御部２４は映像／音声復号処理部１５、光ピックアップ２２及びＮＴＳＣ（ＰＡＬ）信号処理部１３に制御信号を与えることにより、記録中の映像信号の記録媒体への記録済みの部分を最初から実時間再生してモニタ１８に表示させる処理を開始する（ステップＳ１８）。具体的には、光ピックアップ２２は記録バッファ１６にバッファリングされている符号化された映像／音声信号の記録媒体２３への記録を行なう処理と、記録媒体２３から符号化された映像／音声信号を読み出して再生バッファ１７にバッファリングさせる処理とを時分割で実行する。
【００５５】
このようにして再生バッファ１７にバッファリングされている符号化された映像／音声信号は映像／音声復号処理部１５によりデジタルの映像／音声信号に復号処理されてＮＴＳＣ（ＰＡＬ）信号処理部１３へ出力される。ＮＴＳＣ（ＰＡＬ）信号処理部１３では、映像／音声復号処理部１５から出力されたデジタルの映像／音声信号をＮＴＳＣ方式（又はＰＡＬ方式）のアナログのコンポジット信号に変換し、モニタ１８に表示させる。なお、映像／音声復号処理部１５による映像／音声信号の復号処理は、映像／音声符号化部１４が符号化している映像／音声信号と時間軸上で所定時間遅延するように制御部２４により制御される。
【００５６】
従って、動画モードが設定されている場合に動画撮影ボタン２５Ｍがオン状態に操作されると、光学系１１が取得した映像信号がビューファインダ１９に表示されると共に記録媒体２３に記録され始め、その後の所定時間経過時点からは、記録中の映像が最初から実時間再生され始め、モニタ１８に表示される。この結果、ビューファインダ１９には記録中の映像が表示され、モニタ１８には記録中の映像が所定時間遅れて表示されることになる。
【００５７】
このようにしてビューファインダ１９には記録中の映像が、モニタ１８には記録中の映像の所定時間前の映像がそれぞれ表示される。図４はビューファインダ１９とモニタ１８との表示状態を示す模式図である。図４（ａ）の模式図に示すように、ビューファインダ１９の画面１９Ｓに表示されている記録中の映像では動物が既にフレームから外れているが、図４（ｂ）の模式図に示すように、モニタ１８の画面１８Ｓに表示されている再生映像では記録中の映像の所定時間前の状態が表示される。従って、ユーザはビューファインダ１９に表示されている記録中の映像を監視することにより、静止画として記録したい映像の場面を確認し、これと同一の場面が所定時間経過後にモニタ１８に所定時間後に表示された時点で操作部の静止画撮影ボタン２５Ｓをオン操作すれば静止画メモリ２１Ｍに静止画として記録される。このように、ユーザは静止画として記録することを所望する場面をビューファインダ１８に表示される記録中の映像で確認した後に、モニタ１８に所定時間遅延して表示される映像で静止画として記録することが可能になるので、ユーザは静止画として記録すべき場面を常時監視する緊張感からは開放されると共に、シャッターチャンスを逃すこと無しに静止画を記録することが可能になる。
【００５８】
具体的には、ステップＳ１８において、撮影中の映像が所定時間遅延してモニタ１８に再生され始めた後、制御部２４は動画撮影ボタン２５Ｍがオフされたか否か及び静止画撮影ボタン２５Ｓがオン操作されたか否かを監視している（ステップＳ１９でＮＯ、Ｓ２０でＮＯ）。動画撮影ボタン２５Ｍがオフされた場合は（ステップＳ１９でＹＥＳ）、制御部２４は前述したステップＳ２２へ処理を移すが、これ以降の処理については後述する。動画撮影ボタン２５Ｍがオフされないままに静止画撮影ボタン２５Ｓがオンされた場合（ステップＳ１９でＮＯ、Ｓ２０でＹＥＳ）、制御部２４は記録媒体２３から映像／音声復号処理部１５が読み出して（再生して）ＮＴＳＣ（ＰＡＬ）信号処理部１３でＮＴＳＣ方式（又はＰＡＬ方式）のアナログのコンポジット信号に変換してモニタ１８に表示している映像の信号を、静止画記録部２１Ｒに制御信号を与えることにより、静止画メモリ２１Ｍに記録させる（ステップＳ２１）。
【００５９】
この後、制御部２４は上述同様にステップＳ１９及びＳ２０での動画撮影ボタン２５Ｓがオフされたか否か及び静止画撮影ボタン２５Ｓがオンされたか否かを監視する処理に戻り、静止画撮影ボタン２５Ｓがオンされた場合は上述同様にして静止画を静止画メモリ２１Ｍに記録する。
【００６０】
やがて動画撮影ボタン２５Ｍがオフされると（ステップＳ１９でＹＥＳ）、制御部２４は映像／音声符号化部１４及び光ピックアップ２２に制御信号を与えることにより映像の記録媒体２３への記録を停止する（ステップＳ２２）。しかしこの時点以降も、記録媒体に記録された映像信号の最後（記録が停止された時点）が再生されるまで、換言すれば動画撮影ボタン２５Ｍがオフされた時点から所定時間が経過した時点までは（ステップＳ２３でＮＯ）、光ピックアップ２２及び映像／音声復号処理部１５による映像信号の読み出し（再生）は継続され、再生された映像はＮＴＳＣ（ＰＡＬ）信号処理部１３によってＮＴＳＣ方式（又はＰＡＬ方式）のアナログのコンポジット信号に変換されてモニタ１８に表示される。
【００６１】
従って、その間は前述同様に、制御部２４は静止画撮影ボタン２５Ｓがオン操作されたか否かを監視しており（ステップＳ２４でＮＯ）、静止画撮影ボタン２５Ｓがオン操作されると（ステップＳ２４でＹＥＳ）、その時点でモニタ１８に表示されている映像が静止画として静止画メモリ２１Ｍに記録される（ステップＳ２５）。そして、動画撮影ボタン２５Ｍがオフ操作された時点から所定時間が経過すると（ステップＳ２３でＹＥＳ）、映像信号のモニタ１８への再生は自動的に停止されるので、制御部２４はステップＳ１１へ処理を戻す。
【００６２】
図５は本発明装置に係る映像記録再生装置の他の実施の形態の内部構成例を示すブロック図であり、上述の実施の形態同様にビデオカメラに適用した例である。
【００６３】
この図５に示す例では、ＮＴＳＣ（ＰＡＬ）信号処理部１３からモニタ１８へ出力される映像信号とビューファインダ１９へ出力される映像信号とを入力してモニタ１８の画面１８Ｓに並列して表示するための合成回路３１が備えられている。その他の構成は図２に示した実施の形態のブロック図と同様である。
【００６４】
この合成回路３１は制御部２４から与えられる制御信号により、上述の実施の形態と同様に、記録中の映像信号をビューファインダ１９に、再生映像をモニタ１８にそれぞれ表示させることが可能であることは勿論であるが、記録中の映像信号と再生映像信号とを１画面に合成してモニタ１８の画面１８Ｓに並列して表示させることも出来る。
【００６５】
図６は図５に示す合成回路３１によりモニタ１８の画面１８Ｓに、記録中の映像信号と再生映像信号とを並列して表示した状態を示す模式図である。この例では、モニタ１８の画面１８Ｓの右側寄りの位置に参照符号１８Ｓ１にて示すように記録中の映像が比較的小さく表示されており、同じく左側寄りの位置に参照符号１８Ｓ２にて示すように再生映像が比較的大きく表示されている。なお、図６に示す例ではユーザの利便性を考慮して、記録中の映像１８Ｓ１には「録画中」との、再生映像１８Ｓ２には「再生中」及び「静止画キャプチャ用」との注意を喚起するための表示が表示されている。
【００６６】
このように、記録中の映像信号と再生映像信号とをモニタ１８の画面１８Ｓに並列して表示した場合には、ユーザはモニタ１８の画面１８Ｓのみを見ていればよいので、たとえばビデオカメラ１を三脚に固定して撮影を行なうような場合に非常に便利である。
【００６７】
なお、図６に示した例では記録中（録画中）の映像を小さく、静止画を記録するための映像（再生映像）を大きく表示しているが、これはあくまでも一例であって逆にしてもよいし、また「録画中」等の文字表示に代えてこの種の装置に一般的に使用されている「録画」を意味するマーク（赤丸）、再生を意味するマーク（右向き三角形）等を表示するようにしてもよい。また、モニタ１８の画面１８Ｓに表示される記録中の映像信号と再生映像信号とを並列した画面をビューファインダ１９の画面１９Ｓにも表示してもよいことはいうまでもない。
【００６８】
ところで、本発明に係る映像記録再生装置は、映像信号取得手段としての光学系１１をたとえばＴＶチューナに代え、ＮＴＳＣ（ＰＡＬ）信号処理部１３からの２系統の映像信号の出力を合成回路３１で合成して映像出力端子からモニタ装置へ出力可能に、ＮＴＳＣ（ＰＡＬ）信号処理部１３からの音声信号の出力を音声出力端子からモニタ装置の又は単独のスピーカへ出力可能に構成すれば、ＴＶ放送用のビデオデッキとして実現される。
【００６９】
図７は本発明に係る映像記録再生装置をＴＶ放送用のビデオデッキとして実現した場合の内部構成例を示すブロック図であり、図１又は図５に示したビデオカメラの構成例と同一の構成要素には同一の参照符号を付与することによって説明を省略する。
【００７０】
図７に示す例では、ビデオカメラにおける光学系１１に代えてＴＶチューナ１１１が、カメラ信号処理部１２に代えてＴＶ信号処理部１２１がそれぞれ備えられている。また、ＮＴＳＣ（ＰＡＬ）信号処理部１３からの２系統の映像信号の出力は合成回路３１によって１画面に並列して表示されるように合成されて映像信号出力端子３２へ与えられる。また、ＮＴＳＣ（ＰＡＬ）信号処理部１３から出力される音声信号は音声信号出力端子３３へ与えられる。
【００７１】
従って、映像信号出力端子３２にモニタ装置又はＴＶセットの映像信号入力端子を接続し、音声信号出力端子３３にスピーカを直接又はＴＶセットの音声入力端子を接続すれば、図７に内部構成のブロック図を示す本発明の映像記録再生装置はビデオデッキとして機能する。このような本発明の映像記録再生装置をＴＶ放送用のビデオデッキとして実現した場合には、ユーザはモニタ装置又はＴＶセットの表示画面に並列して表示される記録中の映像信号、換言すればＴＶ放送を受信してリアルタイムで表示している画面で番組を視聴し、静止画として記録したい場面があった場合にはＴＶ放送を所定時間遅延して表示している再生映像の画面でタイミングを見計らって静止画を記録するようにすればよい。
【００７２】
なお、上述のようなＴＶ放送用のビデオデッキとして本発明に係る映像記録再生装置を実現した場合には、ＴＶ放送を受信してリアルタイムで表示している画面を比較的大きく、ＴＶ放送を所定時間遅延して表示している再生映像の画面を比較的小さくする方が好ましい。勿論、両画面の大きさをユーザが操作部２５を操作して任意に設定可能にする構成としてもよいことはいうまでもない。
【００７３】
また上述の図７に示した構成例ではＴＶチューナ１１１からの入力を処理するように構成されているが、ＴＶチューナ以外に、他のビデオデッキ（テープ方式、ハードディスク方式、ＤＶＤ方式等）、ケーブルテレビ、ＣＳ放送受信用のセットボックス等から映像信号及び音声信号を入力するための入力端子を備えていてもよいことはいうまでもない。更に、図７に示した構成例はＴＶ放送の受信機能をゆうするパーソナルコンピュータにも適用可能であることはいうまでもない。
【００７４】
以上に詳述したように本発明に係る映像記録再生装置をビデオカメラとして実現した場合には、ビデオカメラで撮影中の映像がビューファインダに表示され、その映像が所定時間遅延してモニタに再生表示されるので、ビューファインダに表示される映像中に静止画として記録したい場面があった場合には、その後の所定時間経過後にモニタに再生表示される映像から静止画像を記録することが出来る。従って、撮影中の映像の記録に悪影響を与えること無しに、また記録中の映像を確認した上で再生表示される映像から落ち着いて、シャッターチャンスを逃すこと無しに静止画を記録することが可能になる。
【００７５】
また同様に、本発明に係る映像記録再生装置をビデオデッキとして実現した場合には、一つのモニタにリアルタイムでＴＶ放送の映像とそれを所定時間遅延させた映像とが表示されるので、静止画として記録したい場面があった場合には、その後の所定時間経過後に同一のモニタに再生表示される映像から静止画像を記録することが出来る。従って、放送中の映像の記録に悪影響を与えること無しに、また放送中の映像を確認した上で再生表示される映像から落ち着いて静止画を記録することが可能になる。
【図面の簡単な説明】
【００７６】
【図１】本発明に係る映像記録再生装置の一実施の形態としてのビデオカメラの外観を示す模式的斜視図である。
【図２】本発明に係る映像記録再生装置としてのビデオカメラの内部構成例を示すブロック図である。
【図３】本発明に係る映像記録再生装置としてのビデオカメラの動作を説明するための制御部による処理手順を示すフローチャートである。
【図４】本発明に係る映像記録再生装置としてのビデオカメラのビューファインダとモニタとの表示状態を示す模式図である。
【図５】本発明装置に係る映像記録再生装置の他の実施の形態の内部構成例を示すブロック図であり、上述の実施の形態同様にビデオカメラに適用した例である。
【図６】本発明装置に係る映像記録再生装置の他の実施の形態の合成回路によりモニタの画面に記録中の映像信号と再生映像信号とを並列して表示した状態を示す模式図である。
【図７】本発明に係る映像記録再生装置をＴＶ放送用のビデオデッキとして実現した場合の内部構成例を示すブロック図である。
【符号の説明】
【００７７】
１  ビデオカメラ
１１  光学系
１３  ＮＴＳＣ（ＰＡＬ）信号処理部
１４  映像／音声符号化部
１５  映像／音声復号化部
１８  モニタ
１９  ビューファインダ
２１Ｒ  静止画記録部
２１Ｍ  静止画メモリ
２２  光ピックアップ
２４  制御部
２５  操作部
３１  合成部
３２  映像信号出力端子
３３  音声信号出力端子
１１１  ＴＶチューナ
【図１】
2006140936.tif 000003
【図２】
2006140936.tif 000004
【図３】
2006140936.tif 000005
【図４】
2006140936.tif 000006
【図５】
2006140936.tif 000007
【図６】
2006140936.tif 000008
【図７】
2006140936.tif 000009